(57)【要約】【課題】施工が容易であり、短時間で既存住宅の補強を行うことができる引き寄せ金物を提供することを目的とする。【解決手段】木造住宅の、直交する第１の構造材と第２の構造材とを緊結するための引き寄せ金物であって、前記第１の構造材に固定するアンカービスと、前記第２の構造材に固定する受け金物と、引き寄せボルトと、ナットと、からなり、前記引き寄せボルトは両端に雄ネジ部を形成し、前記アンカービスは頭部に前記引き寄せボルトの前記雄ネジ部に螺合可能な雌ネジ部を形成し、前記受け金物は、前記引き寄せボルトと該引き寄せボルトに螺合したナットとを係合することを特徴とする、引き寄せ金物。【選択図】図１
2013014963.tif 000002
【特許請求の範囲】
【請求項１】
木造住宅の、直交する第１の構造材と第２の構造材とを緊結するための引き寄せ金物であって、
前記第１の構造材に固定するアンカービスと、前記第２の構造材に固定する受け金物と、引き寄せボルトと、ナットと、からなり、
前記引き寄せボルトは両端に雄ネジ部を形成し、
前記アンカービスは頭部に前記引き寄せボルトの前記雄ネジ部に螺合可能な雌ネジ部を形成し、
前記受け金物は、前記引き寄せボルトと該引き寄せボルトに螺合したナットとを係合することを特徴とする、引き寄せ金物。
【請求項２】
請求項１に記載の引き寄せ金物を用いた木造住宅の補強工法であって、
前記引き寄せボルトの一端に前記アンカービスを螺合し、
前記引き寄せボルトの他端を工具によりチャックし、
前記工具により前記アンカービスを前記第１の構造材に打設し、
前記受け金物を前記引き寄せボルトの他端に係合した状態で前記第２の構造材に固定し、
前記引き寄せボルトの他端に前記ナットを螺合して、前記引き寄せボルトおよび前記受け金物を緊結することを特徴とする、木造住宅の補強工法。
【発明の詳細な説明】
【技術分野】
【０００１】
本発明は、木造住宅の柱と横架材（土台、梁など）等の結合箇所を補強するための引き寄せ金物及びそれを用いた補強工法に関するものである。
【背景技術】
【０００２】
引き寄せ金物は、木造住宅において、土台や梁等の第１の構造材と、柱等の第２の構造材それぞれに取り付け金物を取り付けて、引き寄せボルトにより取り付け金物どうしを引き寄せることにより、第１の構造材と第２の構造材を緊結し、結合箇所を補強するものである。
【０００３】
近年、引き寄せ金物は既存住宅の耐震補強に用いられている。
既存住宅における耐震補強は、居住した状態で短期間に行うために、室内側から内壁のみを取り外して、第１の構造材である梁ａと第２の構造材である柱ｂに引き寄せ金物を取り付ける。このため、第１の構造材ａに取り付ける第１の取り付け金物ｃは、天井ｄと外壁ｅとの隙間から取り付けることとなる（図８）。
第１の取り付け金物ｃは、まず引き寄せボルトｆと連結した状態で接着シートｇにより梁ａに接着して位置決めを行い、その後引き寄せボルトｆを取り外して、固定用ネジｈにより梁に固定する。そして、再度引き寄せボルトｆを第１の取り付け金物ｃに取り付けて、引き寄せボルトｆを第２の構造材である柱ｂに取り付けた第２の取り付け金物ｉと連結して、補強を行う（図９）。
【先行技術文献】
【特許文献】
【０００４】
【特許文献１】特開２００６−３２２２７５号公報
【発明の概要】
【発明が解決しようとする課題】
【０００５】
しかし、この補強工法には以下のような問題があった。
（１）第１の取り付け金物ｃを固定する固定用ネジｈは、ロングビットｊを装着した工具ｋにより取り付けるが（図８）、ロングビットｊの先端に固定用ネジｈを配置し、天井と外壁との隙間にそのロングビットｊを挿通して作業する必要があるため、施工が困難であり、施工時間が長くなる。
（２）第１の取り付け金物ｃから取り外した引き寄せボルトｆを、天井と外壁との隙間から再度第１の取り付け金物ｃに取り付けるため、二度手間となり、施工時間が長くなる。
（３）第１の取り付け金物ｃは固定用ネジｈにより固定するが、取り付け強度を維持するために複数本の固定用ネジｈが必要であり、第１の取り付け金物ｃが大きくなってしまう。
（４）第１の取り付け金物ｃが大きくなってしまうと、引き寄せボルトｆを連結した状態での位置決めが困難となる。また、かど金物等の他の補強金物と干渉してしまい、取り付け場所が限られてしまうおそれがある。
【０００６】
本発明は、施工が容易であり、短時間で既存住宅の補強を行うことができる引き寄せ金物およびそれを用いた補強工法を提供することを目的とする。
【課題を解決するための手段】
【０００７】
上記目的を達成するためになされた本願の第１発明は、木造住宅の、直交する第１の構造材と第２の構造材とを緊結するための引き寄せ金物であって、前記第１の構造材に固定するアンカービスと、前記第２の構造材に固定する受け金物と、引き寄せボルトと、ナットと、からなり、前記引き寄せボルトは両端に雄ネジ部を形成し、前記アンカービスは頭部に前記引き寄せボルトの前記雄ネジ部に螺合可能な雌ネジ部を形成し、前記受け金物は、前記引き寄せボルトと該引き寄せボルトに螺合したナットとを係合することを特徴とする、引き寄せ金物を提供する。
本願の第２発明は、第1発明の引き寄せ金物を用いた、木造住宅の補強工法であって、前記引き寄せボルトの一端に前記アンカービスを螺合し、前記引き寄せボルトの他端を工具によりチャックし、前記工具により前記アンカービスを前記第１の構造材に打設し、前記受け金物を前記引き寄せボルトの他端に係合した状態で前記第２の構造材に固定し、前記引き寄せボルトの他端に前記ナットを螺合して、前記引き寄せボルトおよび前記受け金物を緊結することを特徴とする、木造住宅の補強工法を提供する。
【発明の効果】
【０００８】
本発明は、上記した課題を解決するための手段により、次のような効果の少なくとも一つを得ることができる。
（１）第１の取り付け金物を引き寄せボルトに螺合可能なアンカービスとすることにより、アンカービスと引き寄せボルトが一体となった状態で作業が可能となり、狭い作業空間であっても施工が容易である。
（２）アンカービスおよび引き寄せボルトを一体として設置するため、施工時間が短縮できる。
（３）アンカービスと引き寄せボルトを一体として、引き寄せボルトの端部を工具に取り付けて施工を行うため、アンカービスの取り付け位置が手元から離れていても容易に施工ができる。このため、上下方向ではなく、左右方向の補強も可能である。
（４）第１の取り付け金物がアンカービスそのものであるため、設置スペースを小さくできるため、他の補強金物との干渉が少なく、様々な場所に取り付けることができる。
【図面の簡単な説明】
【０００９】
【図１】本発明の引き寄せ金物の説明図
【図２】受け金物の展開状態の斜視図
【図３】受け金物の斜視図
【図４】本発明の引き寄せ金物の使用状態の説明図
【図５】本発明の補強工法の説明図
【図６】その他実施例にかかる引き寄せ金物の使用状態の説明図（１）
【図７】その他実施例にかかる引き寄せ金物の使用状態の説明図（２）
【図８】従来の引き寄せ金物の作業状態の説明図
【図９】従来の補強工法の説明図
【発明を実施するための形態】
【００１０】
以下、図に示す実施例に基づき、本発明を詳細に説明する。
【実施例１】
【００１１】
［１］引き寄せ金物の概要
本発明の引き寄せ金物は、アンカービス１、引き寄せボルト２、ナット３及び受け金物４と、からなる。（図１）
【００１２】
（１）アンカービス
アンカービス１は、頭部１１と軸部１２からなる。
アンカービス１の頭部１１は高ナット状であり、頂部に雌ネジ部１１１を形成する。
【００１３】
（２）引き寄せボルト、ナット
引き寄せボルト２は、両切りボルトであり、両端に雄ネジ部２１ａ、２１ｂを形成する。
引き寄せボルト２の一方の雄ネジ部２１ａは、アンカービス１の雌ネジ部１１１と螺合する。また他方の雄ネジ部２１ｂはナット３と螺合する。
【００１４】
（３）受け金物
受け金物４は断面コ字状の取付部４１と、取付部４１の対向する２辺から立設する係合部４２と、係合部４２間に渡設する係止片４３と、からなる。係止片４３の中央部にはボルト挿通孔４３１を形成する。
受け金物４は一枚の鋼板を型抜きし、これをプレス加工により折り曲げて形成する（図２）。
また、係止片４３ではなく、係止座金４４を用いても良い（図３）
【００１５】
［２］引き寄せ金物を用いた補強構造
次に、本発明の引き寄せ金物を用いた補強構造について説明する。
【００１６】
（１）アンカービス、受け金物の配置
アンカービス１は、梁５の下面に、上方向に打設する（図４）。
受け金物４は、柱６の側面にビス（図示せず）等により取り付ける。
アンカービス１は柱６に取り付けた受け金物４の延長線上に配置する。
【００１７】
梁５に設けるアンカービス１は柱６に取り付けた受け金物４の延長線上に位置するため、梁５と柱６の結合箇所の近傍に打設する必要がある。
アンカービス１はビス状であるため、他の補強金物との干渉が小さくなり、様々な場所に用いることができる。
【００１８】
（２）引き寄せボルト
引き寄せボルト２の一方の雄ネジ部２１ａは、アンカービス１の雌ネジ部１１１と螺合する。
引き寄せボルト２の他方の雄ネジ部２１ｂは、受け金物４の係止片４３のボルト挿通孔４３１に挿通し、ボルト挿通孔４３１から延出する雄ネジ部２１ｂにナット３を螺合し、ナット３を係止片４３に接触させる。
ナット３は係止片４３と接触した後、さらに締め込まれており、係止片４３およびナット３を介して引き寄せボルト２およびアンカービス１には下方向の力が作用するため、梁５を柱６に引き寄せ、梁５と柱６が緊結される。
【００１９】
［３］引き寄せ金物を用いた補強工法
次に、本発明の引き寄せ金物を用いた補強工法について説明する。
【００２０】
（１）アンカービスと引き寄せボルトの連結
アンカービス１の雌ネジ部１１１と引き寄せボルト２の雄ネジ部２１ａを螺合して、アンカービス１と引き寄せボルト２を一体にする（図５ａ）。
雌ネジ部１１１と雄ネジ部２１ａを螺合するのみであるため、手作業により容易に一体にすることができる。
また、アンカービス１と引き寄せボルト２を予め一体にして形成してもよい。
【００２１】
（２）アンカービスの打設
引き寄せボルト２と一体となったアンカービス１を、打設する梁５の下面に位置決めする。アンカービス１と引き寄せボルト２は一体となっているため、位置決めが容易である。
そして、引き寄せボルト２の下側の雄ネジ部２１ｂを工具７にてチャックし、工具７によりアンカービス１を梁５にねじ込み、打設する（図５ｂ）。アンカービス１と引き寄せボルト２は螺合しているため、引き寄せボルト２を工具７により回転すると、引き寄せボルト２が雌ネジ部１１１もしくは雄ネジ部２１ａの端部まで螺合した後、アンカービス１が回転する。このため、アンカービス１の打設位置が工具７から離れていたり、作業空間が狭くても、容易に打設することができる。また、アンカービス１と引き寄せボルト２を同時に設置できるため、施工時間が短縮できる。
アンカービス１を打設した後、工具７を引き寄せボルト２から外すと、アンカービス１および引き寄せボルト２が、梁５から垂下した状態となる。
【００２２】
（３）受け金物の取り付け
受け金物４の係止片４３のボルト挿通孔４３１に、梁５から垂下した引き寄せボルト２を挿通する。このとき、引き寄せボルト２の雄ネジ部２１ｂの一部が受け金物４の係合部４２から、ナット３で固定するのに十分な長さだけ、下方へ延出するように、受け金物４の高さを調整する。
そして、受け金物４の取付部４１を柱６に当接し、図示しないビット等により柱６に固定する（図５ｃ）。
【００２３】
（４）引き寄せ
受け金物４から延出した引き寄せボルト２の雄ネジ部２１ｂに、ナット３を螺合する。
ナット３を、係止片４３と接触した位置からさらに締め込むことにより、係止片４３およびナット３を介して引き寄せボルト２およびアンカービス１に下方向の力が作用し、梁５を受け金物４を取り付けた柱６に引き寄せ、梁５と柱６を緊結する。
【００２４】
［その他実施例］
上記実施例においては、アンカービス１を梁５に打設し、梁５と柱６を緊結したが、アンカービス１を土台８に打設して、柱６と土台８を緊結してもよい（図６）。
既存住宅における耐震補強の場合、アンカービス１を打設する土台８は、床板９より下にある。しかしアンカービス１は引き寄せボルト２と一体にした状態で打設するため、壁面（外壁または内壁）と床板９との隙間から容易に打設することができる。
【００２５】
また、アンカービス１を柱６に打設し、受け金物４を梁５等の横架材に取り付けた補強構造としてもよい（図７）。
アンカービス１と引き寄せボルト２とが一体となっているため、アンカービス１を横方向にも容易に打ち込むことができる。
【００２６】
さらに、本願の引き寄せ金物は柱と横架材の結合箇所の他にも、例えば小屋裏において母屋と垂木等の結合箇所に、あおり止め金物として使用したり、小屋梁と小屋束や、大引と束の緊結にも使用する事ができる。
【符号の説明】
【００２７】
１      アンカービス
１１    頭部
１１１  雌ネジ部
１２    軸部
２      引き寄せボルト
２１    雄ネジ部
３      ナット
４      受け金物
４１    取付部
４２    係合部
４３    係止片
４３１  ボルト挿通孔
４４    係止座金
５      梁
６      柱
７      工具
８      土台
９      床板
【図１】
2013014963.tif 000003
【図２】
2013014963.tif 000004
【図３】
2013014963.tif 000005
【図４】
2013014963.tif 000006
【図５】
2013014963.tif 000007
【図６】
2013014963.tif 000008
【図７】
2013014963.tif 000009
【図８】
2013014963.tif 000010
【図９】
2013014963.tif 000011